(57)【要約】【課題】上側ドアと下側ドアとを備えた構造において、防塵性を良好にすることを目的とする。【解決手段】上側ドア６３及び下側ドア６５、及び、上側ドア６３が開くと下側ドア６５を開くように連動させる連動機構７０と、上側ドア６３を開く上側ドア開き機構９０とを有する。下側ドア６５のＺ１側部分は上側ドア６３のＺ２側部分のＹ１側に位置して重なっている。【選択図】図１
2007122777.tif 000002
【特許請求の範囲】
【請求項１】
上側を支持されて内側に開く上側ドアと下側を支持されて内側に開く下側ドアとを有し、上側ドアの下端と下側ドアの上端とが重なっている状態でカートリッジ挿入口を塞ぐ構成としたことを特徴とするカートリッジ挿入口のドア機構。
【請求項２】
請求項１に記載のカートリッジ挿入口のドア機構において、
前記上側ドアは、前記カートリッジ挿入口の半分以上の部分を塞ぐ大きさであり、
前記下側ドアは、前記カートリッジ挿入口の残りの部分を塞ぐ大きさであり、
前記下側ドアの上端が上側ドアの下端の内側に重なっている状態でカートリッジ挿入口を塞ぐ構成であり、
前記上側ドアの開く動作に連動して前記下側ドアを開かせ、前記上側ドアの閉じる動作に連動して前記下側ドアを閉じさせる連動機構を有する構成としたことを特徴とするカートリッジ挿入口のドア機構。
【請求項３】
請求項２に記載のカートリッジ挿入口のドア機構において、
前記連動機構は、所定角度回動する間前記下側ドアを開いた状態に係止し続ける係止部を有し、
前記上側ドアが閉じる動作を開始しても前記下側ドアを開いた状態に維持して、前記下側ドアが閉じる動作の開始を遅らせる構成としたことを特徴とするカートリッジ挿入口のドア機構。
【請求項４】
請求項２又は請求項３に記載のカートリッジ挿入口のドア機構において、
カートリッジをイジェクトさせるときに、閉じている前記上側ドアを内側に開かせる上側ドア開き機構を更に有する構成としたことを特徴とするカートリッジ挿入口のドア機構。
【請求項５】
請求項１乃至請求項４のうち何れか一項記載のカートリッジ挿入口のドア機構を備えた構成としたことを特徴とする磁気記録再生装置。
【発明の詳細な説明】
【技術分野】
【０００１】
本発明はカートリッジ挿入口のドア機構に係り、特に磁気記録再生装置のカートリッジ挿入口のドア機構に関する。
【０００２】
コンピュータの外部記憶装置として用いられるストリーマ装置の一つに、ＶＴＲと同じく回転ドラム及びテープローディング機構を備えてなり、テープカートリッジを利用する磁気記録再生装置の一種であるストリーマ装置が商品化されている。
【０００３】
ストリーマ装置は、フロントパネルにテープカートリッジを挿入するテープカートリッジ挿入口を有し、このテープカートリッジ挿入口に防塵のためのドアを備えている構成である。ドアは挿入されるテープカートリッジによってストリーマ装置の内側に開かれる構成である。
【０００４】
現在、ストリーマ装置の記憶容量は、圧縮モードで、例えば７２Ｇｂｙｔｅと多い。しかし、市場には、記憶容量を増大の要求があり、これに対応するべく、各メーカはストリーマ装置の改良を進めている。記憶容量を増大する一つの方法として、現行のテープカートリッジの磁気テープのテープ幅よりも広いテープ幅の磁気テープが収容された新しいテープカートリッジを使用できるようにする方法がある。
【０００５】
なお、このストリーマ装置は、機器に組み込まれる関係上、奥行き寸法が短いことが望ましい。
【背景技術】
【０００６】
従来のストリーマ装置のテープカートリッジ挿入口のドア機構は、一つのドアよりなる構成である。
【０００７】
上記新しいテープカートリッジは高さ寸法が現行のテープカートリッジの高さ寸法よりも大きいため、テープカートリッジ挿入口は高さ方向の寸法が大きくなり、ドアの幅寸法が大きくなって、フロントパネルの裏面側に用意するドア開閉のためのスペースが大きくなってしまう。このため、ストリーマ装置は奥行き寸法が増えてしまう。
【０００８】
そこで、ドアを二つに分け、上側ドアと下側ドアとを設け、夫々が逆方向に回動して押し開かれるようにしたドア機構がある。この構成によれば、上側ドア及び下側ドアの幅寸法が短くなって、フロントパネルの裏面側に用意するドア開閉のためのスペースを小さくなり、ストリーマ装置の奥行き寸法を増やさなくて済むようになる。
【特許文献１】実開昭６１−７２７５８号公報
【発明の開示】
【発明が解決しようとする課題】
【０００９】
しかし、従来の上側ドアと下側ドアとを設けたドア機構は、ドアが閉じた状態で、上側ドアと下側ドアとは先端同士が対向している構成であるため、上側ドアの下端と下側ドアの上端との間に隙間が出来、防塵性が良くなかった。
【００１０】
そこで、本発明は、上記課題を解決したカートリッジ挿入口のドア機構を提供することを目的とする。
【課題を解決するための手段】
【００１１】
そこで、上記課題を解決するため、本発明は、上側を支持されて内側に開く上側ドア（６３）と下側を支持されて内側に開く下側ドア（６５）とを有し、上側ドアの下端と下側ドアの上端とが重なっている状態でカートリッジ挿入口（６２）を塞ぐ構成としたことを特徴とする。
【発明の効果】
【００１２】
本発明によれば、上側ドアの下端と下側ドアの上端とが重なっている状態となっているため、良好な防塵性を有する。
【発明を実施するための最良の形態】
【００１３】
次に本発明の実施の形態について説明する。
【実施例１】
【００１４】
［ストリーマ装置３０］
先ず、本発明の実施例１のテープカートリッジ挿入口ドア機構が適用されるストリーマ装置３０について、図１６及び図１７を参照して概略的に説明する。Ｘ１−Ｘ２は幅方向、Ｙ１−Ｙ２は奥行き方向、Ｚ１−Ｚ２は高さ方向である。
【００１５】
ストリーマ装置３０は、回転ドラム装置３１と、装着されたテープカートリッジから磁気テープを引き出して所定のパスにローディングする磁気テープローディング機構３４と、リール軸３２，３３と、第１のカートリッジである現行テープカートリッジ１０の他に第２のカートリッジである新型テープカートリッジ２０も保持可能であるテープカートリッジホルダ５０等を備えた構成である。
【００１６】
現行テープカートリッジ１０は、縦Ａ×横Ｂ×高さＣの外形寸法を有する。現行テープカートリッジ１０は、箱体１１と前側の蓋１２と底面のスライド板（図示せず）とよりなるカートリッジ本体１３の内部に、幅Ｗ１が４ｍｍの磁気テープ１４が、供給リール１５と巻取リール１６とに巻かれて、且つ、蓋１２の裏面に沿うテープパス１７を形成して収容してあり、底面のうち前面寄りの部分に装着時に開かれるポール収容空間１８を有する構成である。
【００１７】
新型テープカートリッジ２０は、縦Ａ×横Ｂ×高さＣ１の外形寸法を有する。新型テープカートリッジ２０は、箱体２１と前側の蓋２２と底面のスライド板（図示せず）とよりなるカートリッジ本体２３との内部に、幅Ｗ２が８ｍｍの磁気テープ２４が、供給リール２５と巻取リール２６とに巻かれて、且つ、蓋２２の裏面に沿うテープパス２７を形成して収容してあり、底面のうち前面寄りの部分に装着時に開かれるポール収容空間２８を有する。新型テープカートリッジ２０のサイズは、縦Ａと横Ｂは、現行テープカートリッジ１０と同じであり、高さＣ１が現行テープカートリッジ１０の高さＣの約１．５倍である。
【００１８】
操作者が新型テープカートリッジ２０をテープカートリッジ挿入口内に図１７に示す位置まで挿入すると、モータが始動してテープカートリッジ装着機構が動作し、カムプレート５５がＹ１方向に移動し、テープカートリッジホルダ５０が最初にＹ１方向、続いてＺ２方向に移動されて、テープカートリッジ２０はテープカートリッジホルダ５０と共に移動されて、リール軸３２，３３に嵌合して装着される。
【００１９】
続いて、磁気テープローディング機構３４によってテープカートリッジ２０より磁気テープが引き出されて所定のパスにローディングされ、回転ドラム装置３１によって情報の記録再生が行なわれる。
【００２０】
イジェクト指令によって、前記のモータが始動して逆転され、テープカートリッジ装着機構が前記とは逆方向に動作し、カムプレート５５がＹ２方向に移動される。これによって、テープカートリッジホルダ５０が最初にＺ１方向、続いてＹ２方向に移動されて、テープカートリッジ２０はテープカートリッジホルダ５０と共に移動されて、その一部がテープカートリッジ挿入口６２の外に突き出た状態とされる。その後に操作者がテープカートリッジ２０のうち突き出た部分を掴んで引き抜く操作をすることによって、テープカートリッジ２０は取り出される。
【００２１】
現行テープカートリッジ１０を挿入した場合にも、ストリーマ装置３０は新型テープカートリッジ２０を挿入した場合と同様に動作する。
【００２２】
後述するように、テープカートリッジ挿入口の部分には、上側ドア及び下側ドアが設けてある。この上側ドア及び下側ドアは、テープカートリッジ装着時にはテープカートリッジ挿入口内に挿入されるテープカートリッジ１０、２０によってストリーマ装置３０の内側に押し開かれる。テープカートリッジイジェクト時には、上側ドア及び下側ドアは、機構によってストリーマ装置３０の内側に開かれる。テープカートリッジ１０、２０は上側ドア及び下側ドアが開かれた状態のテープカートリッジ挿入口より外に突き出される。
［テープカートリッジ挿入口ドア機構６０］
図１は本発明の実施例１のテープカートリッジ挿入口ドア機構６０とストリーマ装置３０のフレームとを示す。
【００２３】
図２はテープカートリッジ挿入口ドア機構６０を示す。図３は図２よりカム部５６を取り除いた状態のドア機構６０を示す。図４はドア機構６０を分解して示す。
【００２４】
図５及び図６はテープカートリッジ挿入口ドア機構６０のスケルトン図である。図５（Ａ）はテープカートリッジ挿入前の状態を示し、図５（Ｂ）はテープカートリッジを挿入したときの状態を示す。図６（Ａ）はテープカートリッジが装着されているときの状態を示し、図６（Ｂ）はテープカートリッジのイジェクトが開始されたときの状態を示す。
【００２５】
図１及び図４に示すように、ストリーマ装置３０のフロントパネル６１には、新型テープカートリッジ２０に対応する大きさのテープカートリッジ挿入口６２が形成してある。
【００２６】
ドア機構６０は、上側ドア６３及び下側ドア６５、及び、上側ドア６３が開くと下側ドア６５を開くように連動させる連動機構７０と、上側ドア６３を開く上側ドア開き機構９０とを有する。
［上側ドア６３及び下側ドア６５］
フロントパネル６１の裏面側には、上側ドア６３と下側ドア６５とが設けてある。上側ドア６３は、幅Ｗ１であり、Ｚ１側の軸６３ａをフロントパネル６１に回動可能に支持されており、テープカートリッジ挿入口６２のうちのＺ１側の部分であってテープカートリッジ挿入口６２の半分以上の部分を覆っている。下側ドア６５は、幅Ｗ２であり、Ｚ２側の軸６５ａをフロントパネル６１に回動可能に支持されており、テープカートリッジ挿入口６２のうちのＺ２側の残りの部分を覆っている。幅Ｗ１は幅Ｗ２の約１．５倍であり、Ｗ１＞Ｗ２である。下側ドア６５のＺ１側部分は上側ドア６３のＺ２側部分のＹ１側に位置して重なっている。６７は重なり合っている部分である。また、上側ドア６３のＸ１側の端にはピン６４が設けてあり、下側ドア６５のＸ１側の端にはピン６６が設けてある。上側ドア６３及び下側ドア６５は、共にばね部材（図示せず）によって閉じる方向に付勢されている。
［連動機構７０］
連動機構７０は、図３、図４、図５（Ａ）に示すように、上側ドア６３に関連する上側ドアレバー７１と、下側ドア６５に関連する下側ドアレバー７５と、上側ドアレバー７１と下側ドアレバー７５とを接続するリンク７７とよりなる。
【００２７】
上側ドアレバー７１は、分岐している腕部７１ａを有し、Ｙ１側を、フロントパネル６１の裏面側のブラケット７８上の固定ピン７２に回動可能に支持してあり、ばね（図示せず）によって反時計方向に付勢されている。
【００２８】
下側ドアレバー７５は、略Ｖ字形状であり、第１の腕部７５ａと第２の腕部７５ｂとを有し、第１の腕部７５ａの先端には係止部７５ｃを有する。係止部７５ｃは中央の孔７５ｄを中心とする円の円弧の一部である。下側ドアレバー７５は、孔７５ｄを、フロントパネル６１の裏面側のブラケット７９上の固定ピン７３に回動可能に支持してある。係止部７５ｃは、下側ドア６５が閉じる動作の開始を遅らせる役割りを有する。
【００２９】
上側ドアレバー７１の中間部と下側ドアレバー７５の第２の腕部７５ｂとが、リンク７７で接続してある。
【００３０】
上側ドアレバー７１の腕部７１ａの端がピン６４のＹ１側に位置しており、下側ドアレバー７５の第１の腕部７５ａがピン６６のＹ２側に位置している。
【００３１】
上側ドアレバー７１が時計方向に回動されると、リンク７７を介して、下側ドアレバー７５が反時計方向に回動される。上側ドアレバー７１が反時計方向に回動されると、下側ドアレバー７５は時計方向に回動される。
［上側ドア開き機構９０］
図３、図４、図５（Ａ）に示すように、上側ドア開き機構９０は、上側ドア開きレバー９１を有する。上側ドア開きレバー９１は、孔９１ａを有し、孔９１ａよりＹ２側の第１の腕部９１ｂと、孔９１ａよりＹ１側の第２の腕部９１ｃとを有する。第２の腕部９１ｃの端にはカムローラ９２を有する。ばね（図示せず）によって反時計方向に付勢されている。
【００３２】
上側ドア開きレバー９１は、孔９１ａをストリーマ装置３０のサイドパネル９２上の固定ピン９３に嵌合して回動可能に支持されており、ばね（図示せず）によって反時計方向に付勢されている。第１の腕部９１ｂの先端はピン６４のＺ２側に位置している。
【００３３】
ピン９２はカムプレート５５のカム部５６に対向する高さ位置にある。
【００３４】
図２に示すように、カムプレート５５はＹ２方向に移動しており、カム部５６はカムローラ９２よりもＹ２側に位置している。
［テープカートリッジを装着するときのテープカートリッジ挿入口ドア機構６０の動作］
［操作者が新型テープカートリッジ２０を挿入する過程における動作］
図７乃至図１０は操作者が新型テープカートリッジ２０をテープカートリッジ挿入口６２内にストッパによって係止される所定の位置まで挿入したときのテープカートリッジ挿入口ドア機構６０の動作を示す。各図の（Ｂ）は、連動機構７０の動作を拡大して示す。
【００３５】
上側ドア６３が下側ドア６５よりＹ２側に位置しているため、図７（Ａ）に示すように、テープカートリッジ２０は上側ドア６３に当たり、上側ドア６３がテープカートリッジ２０によって押されて回動される。これによって、図７（Ｂ）に示すように、腕部７１ａがピン６４によって押されて上側ドアレバー７１が時計方向に回動され、リンク７７を介して、下側ドアレバー７５が反時計方向に回動され、第１の腕部７５ａがピン６６を押し、下側ドア６５が時計方向に回動される。即ち、上側ドア６３が開く方向に回動されると、下側ドア６５が連動して開く方向に回動される。
【００３６】
テープカートリッジ２０が更に挿入されると、上側ドア６３が更に押し開かれ、連動機構７０は図８に示すようになり、下側ドア６５が更に開かれる、
テープカートリッジ２０が更に挿入されると、上側ドア６３が更に押し開かれ、連動機構７０は図９（Ｂ）に示すようになり、下側ドア６５が更に開かれる。下側ドアレバー７５の第１の腕部７５ａの先端の係止部７５ｃがピン６６を係止する状態となる。下側ドア６５は最大に開かれた状態となる。テープカートリッジ２０が更に挿入されると、上側ドア６３が更に押し開かれて最大に開かれた状態となり、下側ドア６５は最大に開かれた状態を維持する。
【００３７】
図１０（Ａ）はテープカートリッジ２０がテープカートリッジ挿入口６２を通ってテープカートリッジホルダ５０内に所定の位置まで挿入されたときの状態を示す。図１０（Ｂ）に併せて示すように、上側ドア６３はテープカートリッジ２０の上面に支持されて最大に開かれた状態となっており、下側ドア６５も最大に開かれた状態となっている。テープカートリッジ挿入口ドア機構６０は図５（Ｂ）に示す状態となっている。
［新型テープカートリッジ２０がモータ駆動によって引き込まれる過程における動作］
図１１乃至図１４は新型テープカートリッジ２０がモータ駆動によって引き込まれるときのテープカートリッジ挿入口ドア機構６０の動作を示す。各図の（Ｂ）は、連動機構７０の動作を拡大して示す。
【００３８】
テープカートリッジ２０がテープカートリッジ挿入口６２を通ってテープカートリッジホルダ５０内に内に所定の位置まで挿入されるとモータが駆動され、カムプレート５５がＹ１方向に移動され、テープカートリッジホルダ５０がＹ１方向に移動され、テープカートリッジ２０はストリーマ装置３０内に引き込まれる。
【００３９】
テープカートリッジ挿入口ドア機構６０は、図１１（Ａ），（Ｂ）に示す状態となる。
最初の間は、連動機構７０は図１０（Ｂ）と同じ状態を維持する。
【００４０】
次いで、図１２（Ａ）に示すように、カムプレート５５がＹ１方向に移動され、カム部５６がカムローラ９２をＺ２方向に押し下げ、上側ドア開きレバー９１が時計方向に回動される。このとき上側ドア６３は略最大に開かれた状態となっており、上側ドア開きレバー９１は空動作をする。連動機構７０は図１２（Ｂ）に示す状態となる。
【００４１】
カムプレート５５がＹ１方向に更に移動されると、図１３（Ａ）に示すように、テープカートリッジホルダ５０はＺ２方向に下降し始める。テープカートリッジ２０もＺ２方向に下降し始めと、テープカートリッジ２０の上面に当っている上側ドア６３は閉じ始める。
【００４２】
カムプレート５５がＹ１方向に最終位置まで移動されると、図１４（Ａ）に示すように、テープカートリッジホルダ５０はＺ２方向に下降して、テープカートリッジ２０もＺ２方向に下降して装着される。また、カム部５６がカムローラ９２を通過して、上側ドア開きレバー９１が反時計方向に元の位置まで回動される。上側ドア６３は図１４（Ａ）、（Ｂ）に示すように閉じた状態となる。
【００４３】
上側ドア６３が図１３（Ａ）に示すように閉じ始めた状態で、連動機構７０は図１３（Ｂ）に示す状態にあり、係止部７５ｃがピン６６を係止している。よって、下側ドア６５は依然として最大に開かれた状態を維持している。上側ドア６３が途中まで閉じた段階で、係止部７５ｃがピン６６から外れ、下側ドア６５は閉じる動作を開始する。即ち、下側ドア６５は、閉じる動作を上側ドア６３の閉じる動作よりも少し遅れて開始し、図１４（Ａ）、（Ｂ）に示すように、下側ドア６５は上側ドア６３のＹ１側に位置し、図３に示す最初の状態と同じ状態となる。テープカートリッジ挿入口ドア機構６０は図６（Ａ）に示す状態となる。
【００４４】
なお、いたずらで、物をテープカートリッジ挿入口６２内に差し込んで引き抜く操作がなされた場合でも、下側ドア６５は、閉じる動作を上側ドア６３の閉じる動作よりも少し遅れて開始し、下側ドア６５は上側ドア６３のＹ１側に位置する元の状態に復帰する。
［テープカートリッジがイジェクトされるときのテープカートリッジ挿入口ドア機構６０の動作］
イジェクト指令によって、前記のモータが始動して逆転され、テープカートリッジ装着機構が前記とは逆方向に動作し、カムプレート５５がＹ２方向に移動され、テープカートリッジホルダ５０がＺ１方向に移動を開始する。
【００４５】
このときに、図１５及び図６（Ｂ）に示すように、カム部５６のＹ２側の部分がカムローラ９２を押して、上側ドア開きレバー９１が時計方向に回動され、第１の腕部９１ｂがピン６４を係止して、上側ドア６３が開かれる。更に、連動機構７０を介して、下側ドア６５が開かれる。即ち、テープカートリッジ２０のＹ２側がテープカートリッジ挿入口６２に到る前の段階で、上側ドア６３及び下側ドア６５が開かれる。
【００４６】
最終的には、図１０（Ａ）、（Ｂ）に示すように、テープカートリッジ２０のＹ２側の一部が上側ドア６３及び下側ドア６５が開いているテープカートリッジ挿入口６２の外に突き出た状態とされる。
【００４７】
カム部５６はカムローラ９２を通過しており、上側ドア開きレバー９１は反時計方向に回動されて元の位置まで戻されている。
【００４８】
操作者がテープカートリッジ２０を掴んで引き抜くと、上側ドア６３が閉じられ、連動機構７０を介して下側ドア６５が閉じられる。係止部７５ｃが存在することによって、下側ドア６５は、閉じる動作を上側ドア６３の閉じる動作よりも少し遅れて開始し、図２及び図３に示すように、下側ドア６５は上側ドア６３のＹ１側に位置する状態となる。
【００４９】
テープカートリッジ１０を装着するときにも、テープカートリッジ挿入口ドア機構６０は上記と略同様に動作する。
【００５０】
ドア機構は、下側ドア６５が上側ドア６３のＹ２側に位置する構成とすることも出来る。
【図面の簡単な説明】
【００５１】
【図１】本発明の実施例１になるテープカートリッジ挿入口ドア機構の斜視図である。
【図２】図１のテープカートリッジ挿入口ドア機構を拡大して示す側面図である。
【図３】図２よりカムプレートを取り除いて示す図である。
【図４】テープカートリッジ挿入口ドア機構を分解して示す図である。
【図５】テープカートリッジ挿入口ドア機構のスケルトン図であり、（Ａ）は最初の状態、（Ｂ）はテープカートリッジが挿入されてドアが最大に開いた状態を示す。
【図６】テープカートリッジ挿入口ドア機構のスケルトン図であり、（Ａ）はテープカートリッジが装着されているときの状態、（Ｂ）はテープカートリッジのイジェクトが開始されたときの状態を示す。
【図７】テープカートリッジの挿入が開始されたときのテープカートリッジ挿入口ドア機構の状態を示す図である。
【図８】テープカートリッジが更に挿入されたときのテープカートリッジ挿入口ドア機構の状態を示す図である。
【図９】テープカートリッジが更に挿入されたときのテープカートリッジ挿入口ドア機構の状態を示す図である。
【図１０】テープカートリッジが最終位置まで挿入されたときのテープカートリッジ挿入口ドア機構の状態を示す図である。
【図１１】テープカートリッジの装着動作が開始された直後のテープカートリッジ挿入口ドア機構の状態を示す図である。
【図１２】テープカートリッジの装着動作が進んだときのテープカートリッジ挿入口ドア機構の状態を示す図である。
【図１３】テープカートリッジの装着動作が更に進んだときのテープカートリッジ挿入口ドア機構の状態を示す図である。
【図１４】テープカートリッジの装着動作が完了したのテープカートリッジ挿入口ドア機構の状態を示す図である。
【図１５】テープカートリッジのイジェクト動作が開始された直後のテープカートリッジ挿入口ドア機構の状態を示す図である。
【図１６】本発明の実施例１になるテープカートリッジ挿入口ドア機構が適用されるストリーマ装置を現行テープカートリッジ及び新型テープカートリッジと併せて示す図である。
【図１７】図１６のストリーマ装置に現行テープカートリッジが挿入された状態を示す図である。
【符号の説明】
【００５２】
１０  現行テープカートリッジ
１４  ４ｍｍ幅磁気テープ
２０  新型テープカートリッジ
２４  ８ｍｍ幅磁気テープ
３０  ストリーマ装置
３１  回転ドラム装置
３２，３３  リール軸
３４  磁気テープローディング機構
５０  テープカートリッジホルダ装置
５５  カムプレート
５６  カム部
６０  テープカートリッジ挿入口ドア機構
６１  フロントパネル
６２  テープカートリッジ挿入口
６３  上側ドア
６４  ピン
６５  下側ドア
６６  ピン
６７  重なり合っている部分
７０  連動機構
７１  上側ドアレバー
７５  下側ドアレバー
７５ｃ  係止部
７７  リンク
９０  上側ドア開き機構
９１  上側ドア開きレバー
９２  カムローラ
【図１】
2007122777.tif 000003
【図２】
2007122777.tif 000004
【図３】
2007122777.tif 000005
【図４】
2007122777.tif 000006
【図５】
2007122777.tif 000007
【図６】
2007122777.tif 000008
【図７】
2007122777.tif 000009
【図８】
2007122777.tif 000010
【図９】
2007122777.tif 000011
【図１０】
2007122777.tif 000012
【図１１】
2007122777.tif 000013
【図１２】
2007122777.tif 000014
【図１３】
2007122777.tif 000015
【図１４】
2007122777.tif 000016
【図１５】
2007122777.tif 000017
【図１６】
2007122777.tif 000018
【図１７】
2007122777.tif 000019